(57)【特許請求の範囲】
【請求項１】
運転者が離れた無人状態の自動車の盗難を阻止する自動車盗難防止装置において、
前記自動車内における運転席からの視界範囲内に配設されて固定され、該運転席に着席する前記運転者以外の他人の顔面の方向に対して閃光を発し、該他人を眩目状態とする閃光発生手段を備えることを特徴とする自動車盗難防止装置。
【請求項２】
運転者が離れた無人状態の自動車の盗難を阻止する自動車盗難防止装置において、
前記自動車に設けられ、該自動車に対する外的な負荷を検知する検知手段と、
前記運転者が所持し、前記検知手段の動作の開始及び動作の解除を行うための信号を送信する送信手段と、
前記自動車内における運転席からの視界範囲内に配設されて固定され、前記検知手段が外的な負荷を検知すると、前記運転席に着席する前記送信手段を所持しない前記運転者以外の他人の顔面の方向に対して閃光を発し、該他人を眩目状態とする閃光発生手段と、
を具備することを特徴とする自動車盗難防止装置。
【請求項３】
前記送信手段は、前記運転者の住居用の施錠装置に対する施錠およびまたは解錠を行うキーと兼用されていることを特徴とする請求項２記載の自動車盗難防止装置。
【発明の詳細な説明】
【０００１】
【発明の属する技術分野】
本発明は、運転者等が離れた無人状態の自動車の盗難を阻止する自動車盗難防止装置に関するものである。
【０００２】
【従来の技術】
運転者が離れて無人状態となった自動車が、運転者以外の他人に運転されてしまう、すなわちその自動車が盗難に遭ってしまうことを防止する盗難防止装置は、従来より種々案出されている。
【０００３】
例えば、その自動車のイグニッションキー以外の手段で自動車のエンジンを始動しようとすると、ホーンやサイレンなどの警報を発したり、照明を点滅させるなど、外部からその自動車が異常の状態であることを示す装置や、運転者がその自動車の所有者であることを示す暗証番号などを所持するとともに、その暗証番号の識別を行う装置を自動車に備え付け、自動車に対してその暗証番号を使用しない際には、上記のような警報などを発する装置、自動車内に超音波センサなどを設置して車内への侵入者を監視し、侵入者がある場合に警報などを発する装置などがある。
【０００４】
【発明が解決しようとする課題】
しかしながら、上述した従来の盗難防止装置では、警報や照明の点滅にて、その自動車が異常であることを外部に知らせるのみであり、自動車の運転は行うことが可能であることから、窃盗犯など侵入者は、これら警報などを無視できれば盗み取ることが可能であり、すなわち盗難を阻止することが出来ないという問題があった。
【０００５】
また、上記盗難防止装置が作動状態となって放置された場合には、警報が周囲に対して騒音となり問題となるおそれがある。
【０００６】
そこで本発明は、上記問題点を解消するために、自動車が盗難され、その自動車に侵入した者が運転しようとすると、その運転行為を容易に行えないようにする自動車盗難防止装置を提供することを目的としている。
【０００７】
【課題を解決するための手段】
次に、上記の課題を解決するための手段を、実施の形態に対応する図面を参照して説明する。
この発明の自動車盗難防止装置は、運転者が離れた無人状態の自動車の盗難を阻止する自動車盗難防止装置において、
前記自動車１内における運転席１ａからの視界範囲内に配設されて固定され、該運転席１ａに着席する前記運転者以外の他人の顔面の方向に対して閃光を発し、該他人を眩目状態とする閃光発生手段７を備えることを特徴としている。
【０００８】
また、この発明の自動車盗難防止装置は、運転者が離れた無人状態の自動車１の盗難を阻止する自動車盗難防止装置において、
前記自動車１に設けられ、該自動車１に対する外的な負荷を検知する検知手段と、
前記運転者が所持し、前記検知手段の動作の開始及び動作の解除を行うための信号を送信する送信手段９と、
前記自動車１内における運転席１ａからの視界範囲内に配設されて固定され、前記検知手段が外的な負荷を検知すると、前記運転席１ａに着席する前記送信手段９を所持しない前記運転者以外の他人の顔面の方向に対して閃光を発し、該他人を眩目状態とする閃光発生手段７と、
を具備することを特徴としている。
【０００９】
このような構成により、自動車１に対して盗難行為を働き、運転席１ａに乗り込むと、ストロボ放電管などの閃光発生手段７が、運転席１ａに着席した他人である盗難犯の顔面の方向に対してその視界内にて閃光を発し、これにより、盗難犯は眩目状態となり、その自動車１の運転を行うことに対して断念し、すなわち盗難が阻止されることとなる。
【００１０】
なお、前記送信手段９は、前記運転者の住居用の施錠装置に対する施錠およびまたは解錠を行うキーと兼用されていることとしてもよい。
【００１１】
【発明の実施の形態】
本実施の形態の自動車盗難防止装置は、検知手段と、閃光発生手段７と、送信手段９とで大略構成されている。
【００１２】
検知手段は、自動車１における外部から視認不可能な位置に設けられ、この自動車１の様々な状態、すなわち外的な負荷に対して検知を行う負荷検知センサと、この自動車１の運転者を識別する識別センサ２とで構成されている。
【００１３】
負荷検知センサは、本実施の形態では、自動車１における複数の箇所に配設されており、例えば、自動車ドア２に配設されている施錠装置３に備えられる施解錠センサや、ドア２やトランクの開閉状態を監視する扉センサ、車体の傾きや動きなどを検出する振動センサや、自動車１の窓ガラス４に設けられてガラスの割れを検出するセンサなどで構成されている。
【００１４】
また、識別センサ５は、図２に示すように、運転席１ａ側のドア２における窓ガラス４の車内面側に配設されるアンテナコイルよりなるセンサより構成され、後述する送信手段９の信号を受信するようになっている。
なお、この識別センサ５の近傍には、上記負荷検知センサが動作中であることを表示するＬＥＤなどよりなる表示灯６が備えられており、車外より視認できるようになっている。
【００１５】
次に、閃光発生手段は、ストロボ放電管７などの光度の高い放電管よりなり、自動車１内における運転席１ａからの視界範囲内に配設され、本実施の形態では、図３に示すように、車内の運転席１ａにおけるダッシュボード８上などに配設されている。
【００１６】
なお、このストロボ放電管７は、容易に取り外されないよう固定されており、明滅発光する方向が運転席１ａに着席する運転者の顔面の方向となるよう設定されている。
【００１７】
また、送信手段としてのＩＤキー９は、本実施の形態では、図２に示すように、運転者の所持するイグニッションキー１０に付属されるように取り付けられる小型なキーホルダー状に形成されており、その自動車１の運転者であることを示すＩＤ番号などのＩＤ情報が記憶され、そのＩＤ番号を信号として送出する構成となっている。
【００１８】
そして、上述した負荷検知センサ及び識別センサ５と、ストロボ放電管７とは、制御回路（図示せず）に接続されている。
【００１９】
この制御回路は、車載バッテリーを電源とし駆動するようになっており、各センサの発する信号が入力され、その動作状態を監視するとともに、本実施の形態では、エンジンの始動に用いられるスタータモータと、このスタータモータに電源を供給するバッテリーとの間に接続され、スタータモータへの電源の供給の制御を行い、また、ストロボ放電管７の閃光発光の制御を行うようになっている。
【００２０】
また、この制御回路には、ＩＤ番号などのＩＤ情報が記憶されているとともに、このＩＤ番号と、ＩＤキー９より送信されるＩＤ番号とを比較照合する演算手段が備えられており、このＩＤキー９により、この制御回路に接続される各センサの動作の開始及び解除が行われるようになっている。
【００２１】
次に、自動車盗難防止装置の動作を説明する。
【００２２】
まず、運転者が自動車１から離れる際には、その自動車１のイグニッションキー１０により自動車１の電源をオフとし、そのキー１０を抜脱して車外に出てドアロックを行った後に、ＩＤキー９を識別センサ５に近接させる。
【００２３】
識別センサ５に、ＩＤキー９が近接されると、このＩＤキー９のＩＤ情報が識別センサ５へ送信され、このＩＤ信号と、ドアロックが行われたことを示す信号すなわち施解錠センサによる信号により制御回路は負荷検知センサの動作を開始させ、自動車１の各部の監視を開始することとなる。
【００２４】
負荷検知センサが動作を開始すると、制御回路は、負荷検知センサの各センサ及び識別センサ５からの入力待ちの状態となり、表示灯６が点灯若しくは点滅を開始し、すなわちこの状態で、盗難防止装置が稼働中となる。
【００２５】
そして、この盗難防止装置稼働中に、自動車１が盗難等の被害に遭ってしまった場合、すなわち、運転者以外の他人がドア２を開放しようとドア２の施錠装置３を破壊しようとしたり、自動車１自体を揺らしたり、窓ガラスを割る行為を行ったりなどして、自動車１に対して外的な負荷を加えると、負荷検知センサの各センサがその外的な負荷を検知し、制御回路にそれら信号が送出される。なおドア２の施錠装置３に対して合鍵を用いても施解錠センサはそれを検知し、外的な負荷として制御回路に信号が送出される。
【００２６】
制御回路は、各負荷検知センサからの負荷を検知した信号が入力されると、ストロボ放電管７を点滅発光させる。
【００２７】
この状態で、自動車１の盗難犯が車内に侵入して、運転席に着席し、運転を行おうとしても、着席した状態での顔面に向けてストロボ放電管７が閃光を放っていることから、盗難犯が眩目状態となる。
【００２８】
これにより、犯人は運転行為を行いそれを続けようとすることを断念することとなり、自動車１は盗難を阻止されることとなる。
【００２９】
また、上記盗難防止装置の各センサ稼働中に、ＩＤキー９を識別センサ５に近接させることで、制御回路は上記のようにストロボ放電管７を発光させず、制御回路はタイマーを始動させる。
【００３０】
このタイマーは、ドアロックの解除の待機時間を監視しており、このタイマーによる所定時間内に、ドアロックが解除されれば、そのＩＤキー９を使用した者が、自動車１を使用する運転者であると判断され、制御回路は、負荷検知センサの動作を解除し、運転者は自動車１内に乗り込め、運転を行うことが可能となる。
【００３１】
なお、タイマーによる所定時間内にドアロックが解除されない場合は、制御回路がそれを異常と判断し、上記したようにストロボ放電管７が閃光を放つこととなる。
【００３２】
また、ストロボ放電管７発光時には、ＩＤキー９によるＩＤ情報の入力待ち状態となるよう制御回路が働くこととされ、ここでＩＤキー９によるＩＤ情報の送信を識別センサ５へ行うことで、ストロボ放電管７は発光が停止となり、上記タイマーが始動し、ドアロックの解除を待機するようになり、このドアロックの解除が所定時間内にあれば、制御回路は負荷検知センサの動作を解除し、ドアロックの解除が無ければストロボ放電管７が再び発光を開始する。
【００３３】
さらに、上記盗難防止装置の各センサの稼働中に、ＩＤキー９による識別センサ５へのＩＤ情報の送信を行わずに、ドアロックを解除しようとすると、施解錠センサはそれを検知し、制御回路はストロボ放電管７の発光を行うこととなり、上記したように、ＩＤキー９によるＩＤ情報の送信を待機することとなる。
【００３４】
従ってこのように構成された盗難防止装置によれば、自動車１に対して何らかの外的な負荷が加わると、検知センサがそれを検知して自動車１内の運転席１ａにてストロボ放電管７を発光させることとなることから、自動車１の盗難犯が車内に侵入して、運転席１ａに着席し、運転を行おうとしても、着席した状態での盗難犯の顔面に向けてストロボ放電管７が発光されることとなり、盗難犯は眩目状態となり、これにより、犯人は運転行為を行いそれを続けようとすることを断念することとなり、自動車１は盗難を阻止されることとなる。
【００３５】
また、自動車１を運転する運転者は、ＩＤキー９を用いることから、その自動車１の検知センサは動作せず、これにより、通常通り、運転を行うことが可能となるものである。
【００３６】
なお、上述した実施の形態では、運転者が車外に出て、ドアロックを行い、ＩＤキー９にてＩＤ情報を識別センサ５に送出させることで、各検知センサが動作を開始する構成とした例について述べたが、ドアロックを行う行為のみで、上記した制御回路が負荷検知センサを動作させる構成としてもよく、また、運転者がイグニッションキー１０を抜脱することで上記した制御回路が負荷検知センサを動作させる構成としてもよい。この場合は、運転者が運転席１ａから車外に出る時間が必要となることから、制御回路に備えられるタイマーを働かせ、所定の時間の経過後に負荷検知センサの動作が開始となる構成とすればよい。
【００３７】
また、上述した実施の形態では、ストロボ放電管７よりなる閃光発生手段の発光にて盗難の防止を行う構成とした例としたが、この閃光発生手段は、ストロボ放電管に限ることはなく、フラッシュ球などの電球など、閃光を放ち、好ましくは明滅を繰り返して、眩目状態を起こすものであればよく、また、このストロボ放電管の発光以外に、赤色回転灯や警報装置等を併設させ、これら赤色回転灯による発光や、警報装置による警告音の発生を同時に行うように構成してもよく、これによれば、盗難の防止についての相乗効果を得ることが可能となり、かつ、この異常状態を外部に知らせることが可能となる。
【００３８】
また、上述した実施の形態では、閃光発生手段であるストロボ放電管７の位置をダッシュボード８上とした例について述べたが、この位置に限ることはなく、運転席１ａからの視界範囲内に配置されればどの位置でもよく、また複数設けることとしてもよく、例えば、ハンドルの中央部分や、計器パネル内、フロントガラスの窓枠室内面、同フロントガラスの天井近傍の上縁部等とし、閃光を発する方向を運転席に着席する人の顔面の方向とすればよい。
【００３９】
さらに、上述した実施の形態では、ＩＤキー９について、その具体的な構成について述べていないが、このＩＤキー９は、トランスポンダにて構成されることとしてもよい。すなわち、識別センサ５より質問信号が送信される構成とされ、この質問信号に対して応答信号を送信する構成とするものである。
この場合、ＩＤキー９には、電源を具備しない構成とすることも可能となり、すなわち、識別センサ５から電磁誘導にて電源の供給を行い、この識別センサ５にＩＤキー９を近接させることにより、このＩＤキー９が応答し、ここでＩＤ情報等を送出するようになる。
【００４０】
また、上記トランスポンダよりなる構成でなく、赤外線や電波などを送出する構造のＩＤキー９とした送信手段としてもよい。この場合、そのＩＤ情報の送信をスイッチキーによる構成としてもよく、また、テンキーを備えさせ、その入力による構成としてもよい。
【００４１】
さらに、上述した実施の形態では、送信手段をＩＤキー９とし、このＩＤキー９の持つＩＤ情報にて盗難防止装置の動作の開始及び解除を行う、すなわち無線にてＩＤ情報を送信するように構成する例として述べたが、この送信手段としては、有線で構成させてもよく、運転席において操作が行える構造や、ドアの外側にて操作が行える構造とし、例えば、テンキーを運転席に配置させ、暗証番号の入力を行うことで、盗難防止装置の動作の開始及び解除を行う構成や、磁気カードリーダーを運転席に設け、運転者はＩＤ情報を記録させた磁気カードを所持することとし、その磁気カードを使用することで、盗難防止装置の動作の開始及び解除を行う構成としてもよく、さらには、指紋の検知を行うセンサを配置させ、運転者の指紋を登録させることで、その指紋が適合することで、盗難防止装置の動作の開始及び解除を行う構成としてもよく、また、これらテンキーや磁気カードリーダー，指紋検知センサをドアの外側などに設けて構成することとしてもよい。
【００４２】
また、ＩＤキー９について、上述した実施の形態では、自動車１と１対１とした例とし、すなわち１台の自動車１に１つのＩＤキー９として構成した例について述べたが、例えばその自動車１を所有する家族の各人、または会社内における各従業員が使用可能なように、複数のＩＤキー９を用意し、各ＩＤキー９には異なるＩＤ情報を記憶させ、制御回路側に各ＩＤ情報を記憶させる構成とすれば、その１台の自動車１に対して複数の人間が使用できることとなり、その他の他人に対しての盗難を阻止することが可能となる。
【００４３】
さらに、上述した実施の形態において、制御回路が、エンジンの始動に用いられるスタータモータと、このスタータモータに電源を供給するバッテリーとの間に接続され、スタータモータへの電源の供給の制御を行うように構成した例について述べたが、これによれば、各センサが外的な負荷を検知した際に、ストロボ放電管７の発光を行うと同時に、スタータモータへの電源の供給を断たせるよう構成でき、具体的には、スタータモータへの電源を供給する配線の中途に、その供給の断続を行うリレーなどのスイッチング手段を介設し、このスイッチング手段の動作にて、各センサの外的な負荷の検知時にスタータモータを動作不能とする構成とし、すなわち、盗難時に、自動車のエンジンを始動しようとも容易には行えず、この盗難の阻止をさらに確実なものとすることが可能となる。
【００４４】
また、上述した実施の形態では、送信手段をＩＤキー９とし、このＩＤキー９の持つＩＤ情報にて盗難防止装置の動作の開始及び解除を行うように構成する例として述べたが、このＩＤキー９のＩＤ情報を住宅の玄関などの施錠装置におけるＩＤ情報と兼用させ、すなわち住居用の施錠装置に対する施錠およびまたは解錠を行うキーと兼用させてもよく、これによれば、自動車と住居とを同様の操作で、施錠状態および解錠状態に行うことが可能となる。
【００４５】
【発明の効果】
以上説明したように本発明による自動車盗難防止装置によれば、自動車に対して何らかの外的な負荷が加わると、検知手段がそれを検知して自動車内の運転席にて閃光発生手段を発光させることとなることから、自動車の盗難犯が車内に侵入して、運転席に着席し、運転を行おうとしても、着席した状態での盗難犯の顔面に向けて閃光発生手段が閃光を発することとなり、盗難犯は眩目状態となり、これにより、犯人は運転行為を行いそれを続けようとすることを断念することとなり、自動車は盗難を阻止されることとなる。
【００４６】
また、この閃光発生手段は、車内における運転席からの視界範囲内であり、車外に発光させることはなく、また警報など音を発する構成ではないことから、車外への迷惑となることがなく、自動車の盗難防止を達成できるものである。
【００４７】
特に、本発明の閃光発生手段に、エンジンスタートを妨げるために、スタータモータと車載電源との間に、スタータモータへの電源の供給を断たせるよう構成される構造を付加し、盗難時に、自動車のエンジンを始動しようとも容易には行えないような構成とされていた場合にも、盗難犯がスタータモータと電源とを短絡させ接続させてエンジンを始動させても、運転席において、閃光発生手段が閃光していることから、盗難犯は眩目状態となってしまい、運転行為が継続できず、自動車は盗難を阻止されるものである。
【００４８】
そして、その自動車の運転者は、送信手段を所持していることから、その自動車の検知手段は動作せず、これにより、通常通り、運転を行うことが可能となる。
【図面の簡単な説明】
【図１】本発明による自動車盗難防止装置が設けられる自動車の概略斜視図
【図２】図１におけるＡ部を拡大した自動車のドア部分における概略斜視図
【図３】同自動車盗難防止装置の一実施の形態を示す車内における概略斜視図
【符号の説明】
１…自動車
１ａ…運転席
７…閃光発生手段（ストロボ放電管）
９…送信手段（ＩＤキー）
【図１】
0003859824.tif 000002
【図２】
0003859824.tif 000003
【図３】
0003859824.tif 000004